(57)【要約】【課題】ホストからの信号を検出して、デジタル入力に対応する複数のＥＤＩＤを自動で切替える表示装置を提供することにある。【解決手段】本発明の表示装置（１０）は、ホスト（２０、３０）から映像データ信号と映像制御信号を受信するレシーバ制御部（１１、１２）と、複数の表示仕様情報を記憶するメモリ部（１３、１４）と、ホスト（２０、３０）とメモリ部（１３、１４）を接続し、表示仕様情報を切り替えるスイッチ部（１５、１６）と、映像制御信号に含まれる所定の信号を検知して、スイッチ部（１５、１６）を制御するスイッチ制御部（１７）と、を具備する。表示仕様情報はホスト（２０、３０）に送信されて映像データ信号の設定に使用される。【選択図】  図１
2004333932.tif 000002
【特許請求の範囲】
【請求項１】
ホストから映像データ信号と映像制御信号を受信するレシーバ制御部と、
複数の表示仕様情報を記憶するメモリ部と、前記表示仕様情報は前記ホストに送信されて前記映像データ信号の設定に使用され、
前記ホストと前記メモリ部を接続し、前記表示仕様情報を切り替えるスイッチ部と、
前記映像制御信号に含まれる所定の信号を検知して、前記スイッチ部を制御するスイッチ制御部と、
を具備する、
表示装置。
【請求項２】
前記複数の表示仕様情報は、民生機器（ＣＥ機器）用ＥＤＩＤおよびコンピュータ（ＰＣ）用ＥＤＩＤを含む、
請求項１に記載された表示装置。
【請求項３】
前記映像制御信号に含まれる所定の信号は、コンテンツ保護に関する信号である、
請求項２に記載された表示装置。
【請求項４】
前記スイッチ制御部は、
前記コンテンツ保護に関する信号を検出した場合に、前記スイッチ部を民生機器（ＣＥ機器）用ＥＤＩＤが使用されるように切替え、
前記コンテンツ保護に関する信号を検出しない場合に、前記スイッチ部をコンピュータ（ＰＣ）用ＥＤＩＤが使用されるように切替える、
請求項３に記載された表示装置。
【請求項５】
ホストから映像データ信号を受信するレシーバ制御部と、
複数の表示仕様情報を記憶するメモリ部と、前記表示仕様情報は前記ホストに送信されて前記映像データ信号の設定に使用され、
前記ホストと前記メモリ部を接続し、前記表示仕様情報を切り替えるスイッチ部と、
前記ホストから識別信号を受信して、前記識別信号に基づいて前記スイッチ部を制御するスイッチ制御部と、
を具備する、
表示装置。
【請求項６】
前記複数の表示仕様情報は、民生機器（ＣＥ）用ＥＤＩＤおよびコンピュータ（ＰＣ）用ＥＤＩＤを含む、
請求項５に記載された表示装置。
【請求項７】
前記スイッチ制御部は、前記識別信号を受信した場合に、前記スイッチ部を民生機器（ＣＥ機器）用ＥＤＩＤが使用されるように切替え、
前記識別信号を受信しない場合に、前記スイッチ部をコンピュータ（ＰＣ）用ＥＤＩＤが使用されるように切替える、
請求項６に記載された表示装置。
【請求項８】
ホストから受信した信号に含まれ、当該ホストの種類を特定する識別情報を抽出するステップと、
複数の表示仕様情報の中から、前記識別情報に対応する表示仕様情報を前記ホストに接続するステップと、
前記表示仕様情報を前記ホストに送信するステップと、
を含む、
表示仕様情報設定方法。
【請求項９】
前記識別情報は、ホストがコンテンツ保護に対応することを示す情報を含む、請求項８に記載された表示仕様情報設定方法。
【請求項１０】
前記複数の表示仕様情報は、民生機器（ＣＥ機器）用ＥＤＩＤとコンピュータ（ＰＣ）用ＥＤＩＤを含む、
請求項８に記載された表示仕様情報設定方法。
【発明の詳細な説明】
【０００１】
【発明の属する技術分野】
本発明は、表示装置に関し、特に複数種類のデジタル信号が入力可能な表示装置に関する。
【０００２】
【従来の技術】
デジタル・インターフェイスを備え、デジタル信号を処理して、表示を行う表示装置が使用されている。ＰＣ（パーソナルコンピュータ）に使用される表示装置と、ＣＥ（Ｃｏｎｓｕｍｅｒ  Ｅｌｅｃｔｒｏｎｉｃｓ＝民生機器）機器に使用される表示装置がある。ここで、ＣＥ機器は、デジタル映像信号を表示装置に出力する機器である。ＣＥ機器として、ＳＴＢ（デジタル放送用のセットトップボックス）、ＤＶＤプレーヤーが例示される。
ＰＣとＣＥ機器の両方の入力に対応したデジタル・インターフェイスを備えたマルチ入力が可能な表示装置が使用されることが望まれる。
【０００３】
デジタル・インターフェイスを備えた表示装置は、デジタル信号を表示装置に送信するホスト機器に、表示仕様情報を送信する場合がある。表示仕様情報は、ＥＤＩＤ（Ｅｘｔｅｎｄｅｄ  Ｄｉｓｐｌａｙ  ＩｄｅｎｔｉｆｉｃａｔｉｏｎＤａｔａ）に例示される。ＥＤＩＤは、表示装置の解像度、走査信号の情報、フレームレート、メーカー識別子、表示装置の識別子等を含む。
ホスト機器は、ＥＤＩＤに基づいて、デジタル信号を表示装置の仕様に合う形式で出力する。このような機能は、いわゆるプラグアンドプレイ機能と呼ばれる。
【０００４】
ＰＣ対応ＥＤＩＤとＣＥ対応ＥＤＩＤは、互換性が確保されていない場合がある。ＰＣとＣＥ機器の両方で使用される表示装置は、対応するホスト機器の仕様に合わせて、複数のＥＤＩＤを保有する必要がある場合がある。
接続されたホスト機器に合わせて、自動的に、ＥＤＩＤを切り換え、ホストに送信することが望まれる。表示装置は、適切なＥＤＩＤをホストに出力することにより、ホストから適切な形式の映像データを得ることができる。
【０００５】
このため、接続されるホスト機器の種類に合わせて、手動でＥＤＩＤを切り換える場合がある。
【０００６】
図８を参照して、手動でＥＤＩＤを切り換える場合の例が示される。
表示装置１００とホスト２００が接続される。
表示装置１００は、ホスト２００として、デジタル信号を出力するＣＥ機器およびＰＣ機器が共に接続可能である。図８は、ホスト２００がＣＥ機器の場合を示す。
ホスト２００は、グラフィックコントローラ部２０１、コンテンツ保護システム対応トランスミッタ制御部２０２、および、データ制御コントローラ２０３を具備する。
表示装置（モニタ、ディスプレイ）１００は、コンテンツ保護システム対応レシーバ制御部１０１、デジタル伝送レシーバ制御部１０２、ＣＥ対応ＥＤＩＤメモリ部１０３、ＰＣ対応ＥＤＩＤメモリ部１０４、スイッチ１０５、１０６、手動スイッチ１０７を具備する。
【０００７】
ＣＥ対応ＥＤＩＤメモリ部１０３とＰＣ対応ＥＤＩＤメモリ部１０４は、スイッチ１０５、１０６を介して、切替え可能にホスト２００側と接続される。スイッチ１０５、１０６が切替えられることにより、ＣＥ対応ＥＤＩＤメモリ部１０３とＰＣ対応ＥＤＩＤメモリ部１０４のどちらかが、ホスト２００側に接続される。
さらに、手動スイッチ１０７が切替えられることで、スイッチ１０５、１０６が切替えられる。
手動スイッチ１０７は、ユーザにより手動で切替えられる。
【０００８】
ユーザはホストとしてのＰＣ機器とＣＥ機器を、表示装置に接続し直す毎に、表示装置のＥＤＩＤ１０３、１０４を、手動スイッチ１０７で変更する必要がある。ユーザーへの負担を減らし、容易な接続を可能にする表示装置が求められる。
【０００９】
また、ＰＣ機器、ＣＥ機器共にデジタル・インターフェイスが求められるようになってきている。特にデジタルデバイスである液晶ディスプレイ、プラズマディスプレイなどは今後さらにデジタル・インターフェイス搭載のものの需要が伸びることが予想される。
この場合、今回のようなデジタル・インターフェイスの入力を自動で判別する特徴を有することによって、プラズマディスプレイなどのデジタルデバイスディスプレイの需要が広がる可能性がある。
【００１０】
デジタル映像の放送において、コンテンツの著作権等の保護のため、コンテンツ保護機能が使用される場合がある。具体的には、ＤＶＩ（Ｄｅｇｉｔａｌ  Ｖｉｓｕａｌ  Ｉｎｔｅｒｆａｃｅ）に対応したＨＤＣＰ（Ｈｉｇｈ  ｂａｎｄｗｉｄｔｈ  Ｄｉｇｉｔａｌ  Ｐｒｏｔｅｃｔｉｏｎ）が使用される場合がある。ＨＤＣＰの機能は、コンテンツ保護のため、ＣＥ機器と表示装置の間で、信号を暗号化して伝送する。
【００１１】
ホストからの信号群を入力して、これに基づき画像を表示する表示装置において、ホストのインターフェイス形式を判別する判別手段と、表示に係る仕様情報を、接続されるインターフェイス形式ごとに予め記憶している複数個の記憶手段と、判別手段の判別結果に基づいて、インターフェイス形式に応じた仕様情報を前記記憶手段から前記ホスト側へ出力する出力手段と、を備えていることを特徴とする表示装置が開示されている（例えば、特許文献１）
【００１２】
【特許文献１】
特開２００１−１７５２３０号公報
【００１３】
【発明が解決しようとする課題】
本発明の目的は、ホストからの信号を検出して、デジタル入力に対応する複数のＥＤＩＤを自動で切替える表示装置を提供することにある。
本発明の目的は、ＰＣ（パーソナルコンピュータ）とＣＥ機器（Ｃｏｎｓｕｍｅｒ  Ｅｌｅｃｔｒｏｎｉｃｓ＝民生機器）の両方の入力に対応したデジタル・インターフェイスを搭載する表示装置において、ホスト側の仕様に対応した表示仕様情報を自動的に出力する表示装置を提供することにある。
【００１４】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１５】
本発明の表示装置（１０）は、ホスト（２０、３０）から映像データ信号と映像制御信号を受信するレシーバ制御部（１１、１２）と、複数の表示仕様情報を記憶するメモリ部（１３、１４）と、ホスト（２０、３０）とメモリ部（１３、１４）を接続し、表示仕様情報を切り替えるスイッチ部（１５、１６）と、映像制御信号に含まれる所定の信号を検知して、スイッチ部（１５、１６）を制御するスイッチ制御部（１７）と、を具備する。
表示仕様情報はホスト（２０、３０）に送信されて映像データ信号の設定に使用される。
ここで、ホスト（２０、３０）は、デジタルインターフェイスを有し、表示仕様情報を表示装置（１０）から受信して、映像データ信号を表示装置（１０）に適合する設定で出力する装置である。
表示装置（１０）は、ホスト（２０、３０）から出力される映像制御信号の所定の部分を検知することで、ホスト（２０、３０）の種類を判別することができ、そのホスト（２０、３０）の仕様に適合する表示仕様情報を出力することができる。
【００１６】
本発明の表示装置（１０）において、複数の表示仕様情報は、民生機器（ＣＥ機器）用ＥＤＩＤおよびコンピュータ（ＰＣ）用ＥＤＩＤを含む。
民生機器（ＣＥ機器）用ＥＤＩＤとコンピュータ（ＰＣ）用ＥＤＩＤは、異なる仕様で互換性がない場合があるので、両方の仕様に適合するため、表示装置（１０）は、複数のＥＤＩＤを記憶する。複数のＥＤＩＤは、ホストの種類を判別することで、自動的に切替えられることが好ましい。
【００１７】
本発明の表示装置（１０）において、映像制御信号に含まれる所定の信号は、コンテンツ保護に関する信号である。
ホストが、民生機器（ＣＥ機器）であるか、コンピュータ（ＰＣ）であるかを、コンテンツ保護に関する信号を検知することで判別することができる場合がある。民生機器（ＣＥ機器）は、コンテンツ保護機能を使用して映像データを出力する前に、表示装置（１０）に、コンテンツ保護に関する信号を含む映像制御信号を出力する場合がある。コンテンツ保護に関する信号を検知した場合に、ホストが民生機器（ＣＥ機器）であると判断できる場合がある。
【００１８】
スイッチ制御部（１７）は、コンテンツ保護に関する信号を検出した場合に、スイッチ部（１５、１６）を民生機器（ＣＥ機器）用ＥＤＩＤが使用されるように切替え、コンテンツ保護に関する信号を検出しない場合に、スイッチ部（１５、１６）をコンピュータ（ＰＣ）用ＥＤＩＤが使用されるように切替える。
【００１９】
本発明の表示装置は、ホスト（６０、８０）から映像データ信号を受信するレシーバ制御部（５１、５２）と、複数の表示仕様情報を記憶するメモリ部（５３、５４）と、ホスト（６０、８０）とメモリ部（５３、５４）を接続し、表示仕様情報を切り替えるスイッチ部（５５、５６）と、ホスト（６０、８０）から識別信号を受信して、識別信号に基づいてスイッチ部（５５、５６）を制御するスイッチ制御部（５７）と、を具備する。
表示仕様情報はホスト（６０、８０）に送信されて映像データ信号の設定に使用される。
ホスト（６０、８０）が対応する表示仕様情報（ＥＤＩＤ）を判別することができる情報が、識別信号としてホスト（６０、８０）から表示装置（５０）に送出される。表示装置（５０）は、識別信号を受信して、ホストに対応する表示仕様情報（ＥＤＩＤ）を出力する。
【００２０】
複数の表示仕様情報は、民生機器（ＣＥ）用ＥＤＩＤおよびコンピュータ（ＰＣ）用ＥＤＩＤを含む。
【００２１】
スイッチ制御部（５７）は、識別信号を受信した場合に、スイッチ部（５５、５６）を民生機器（ＣＥ機器）用ＥＤＩＤが使用されるように切替え、識別信号を受信しない場合に、スイッチ部（５５、５６）をコンピュータ（ＰＣ）用ＥＤＩＤが使用されるように切替える。
「民生機器（ＣＥ機器）は、識別信号を送出する」、および、「コンピュータ（ＰＣ）は、識別信号を送出しない」、と設定することで、表示装置（５０）は、識別信号を検知した時に、ホストが民生機器（ＣＥ機器）であることを判別することができる。さらに、表示装置（５０）が、従来の識別信号を出力しないＰＣとの接続とも可能となる。
【００２２】
本発明の表示仕様情報設定方法は、以下のステップを含む。
ホスト（２０、３０、６０、８０）から受信した信号に含まれ、当該ホスト（２０、３０、６０、８０）の種類を特定する識別情報を抽出するステップ。
複数の表示仕様情報の中から、識別情報に対応する表示仕様情報をホスト（２０、３０、６０、８０）に接続するステップ。
表示仕様情報をホスト（２０、３０、６０、８０）に送信するステップ。
【００２３】
本発明の表示仕様情報設定方法における識別情報は、ホスト（２０、６０）がコンテンツ保護に対応することを示す情報を含む。
【００２４】
本発明の表示仕様情報設定方法における複数の表示仕様情報は、民生機器（ＣＥ機器）用ＥＤＩＤおよびコンピュータ（ＰＣ）用ＥＤＩＤを含む。
【００２５】
【発明の実施の形態】
添付図面を参照して、本発明による表示装置の実施の形態を以下に説明する。
（実施の形態１）
図１〜４を参照して、実施の形態１の表示装置１０が説明される。
表示装置１０は、デジタル信号を出力するホストと接続される。表示装置１０は、ホストとしてのＣＥ機器（Ｃｏｎｓｕｍｅｒ  Ｅｌｅｃｔｒｏｎｉｃｓ＝民生機器）とＰＣ（パーソナル  コンピュータ）に対応するデジタル・インターフェイスを具備する。デジタルインターフェイスは、ＤＶＩ（Ｄｉｇｉｔａｌ  Ｖｉｓｕａｌ  Ｉｎｔｅｒｆａｃｅ）に例示される。
図１は、表示装置１０に、ホストとしてＣＥ機器２０が接続されている例、図２は、表示装置１０に、ホストとしてＰＣ３０が接続されている例、を示す。
【００２６】
図１を参照して、表示装置１０に、ホストとしてＣＥ機器２０が接続されている例が説明される。
表示装置１０は、コンテンツ保護システム対応レシーバ制御部１１、デジタル伝送レシーバ制御部１２、ＣＥ機器対応ＥＤＩＤメモリ部１３、ＰＣ対応ＥＤＩＤメモリ部１４、スイッチ１５、１６、モニタ制御部１７、映像信号処理回路（図示なし）、表示部（図示なし）を具備する。
コンテンツ保護システム対応レシーバ制御部１１は、ＣＥ機器２０から、コンテンツ保護システムに基づいて暗号化（エンコード）されたデジタル映像情報を受信し、復号化（デコード）して、映像信号処理回路（図示なし）へ出力する。コンテンツ保護システム対応レシーバ制御部１１は、ＣＥ機器２０と接続される時に使用される。
デジタル伝送レシーバ制御部１２は、ＰＣ３０と接続された場合に、表示情報を含むデジタル信号を受信し、映像信号処理回路（図示なし）へ出力する。デジタル伝送レシーバ制御部１２は、ＰＣ３０と接続される時に使用される。
映像信号処理回路（図示なし）は、コンテンツ保護システム対応レシーバ制御部１１、デジタル伝送レシーバ制御部１２から入力される表示情報信号を処理して表示部（図示なし）へ出力する。
表示部（図示なし）は、ディスプレイ部で、映像信号処理回路（図示なし）から表示情報信号を受信して、表示する。
【００２７】
ＣＥ機器対応ＥＤＩＤメモリ部１３は、ＣＥ機器２０に対応したＥＤＩＤを記憶する。
ＰＣ対応ＥＤＩＤメモリ部１４は、ＰＣ３０に対応したＥＤＩＤを記憶する。
ＥＤＩＤ（Ｅｘｔｅｎｄｅｄ  Ｄｉｓｐｌａｙ  Ｉｄｅｎｔｉｆｉｃａｔｉｏｎ  Ｄａｔａ）は表示仕様情報である。ＥＤＩＤは、表示装置１０の解像度、走査信号の情報、フレームレート、メーカー識別子、表示装置１０の識別子の少なくともいずれかを含む情報である。ＥＤＩＤは、ホスト側の機器（図１ではＣＥ機器２０）に出力される。ホスト側の機器（図１ではＣＥ機器２０）は、ＥＤＩＤに基づいて、デジタル信号の映像情報を、表示装置１０の仕様に合う設定で出力する。
ＣＥ機器２０とＰＣ３０は、ＥＤＩＤの処理仕様が異なるので、表示装置１０が、ＣＥ機器２０とＰＣ３０に対応するために、ＣＥ機器２０に対応したＥＤＩＤとＰＣ３０に対応したＥＤＩＤを具備する。
【００２８】
スイッチ１５、１６は、ＣＥ機器（ホスト）２０と、ＣＥ機器対応ＥＤＩＤメモリ部１３、ＰＣ対応ＥＤＩＤメモリ部１４を接続するデータ制御ラインに介設される。スイッチ１５、１６は、ＣＥ機器対応ＥＤＩＤメモリ部１３またはＰＣ対応ＥＤＩＤメモリ部１４が接続されるように切替える。
モニタ制御部１７は、スイッチ１５、１６の切替えを制御する制御部である。モニタ制御部１７は、ホスト（図１ではＣＥ機器２０）から、データ制御ラインを介して、コンテンツ保護システム対応レシーバ制御部１１もしくはデジタル伝送レシーバ制御部１２に入力される所定の信号を検出して、スイッチ１５、１６の制御を行う。
【００２９】
本例では、ホストであるＣＥ機器２０のコンテンツ保護システム対応トランスミッタ制御部２２から、コンテンツ保護を行う情報を含むコンテンツ保護情報が、コンテンツ保護システム対応レシーバ制御部１１に出力される。モニタ制御部１７は、コンテンツ保護情報を検知して、ホストがＣＥ機器２０であることを検知し、スイッチ１５、１６の切替えを自動的に行う。
【００３０】
コンテンツ保護情報の出力は、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）機能に基づいて、行われる場合がある。ＨＤＣＰ機能では、コンテンツの保護のためホストから表示装置へ、映像データ信号を暗号化して送信する。さらに、映像データ信号が暗号化されていることを示すコンテンツ保護情報が映像制御情報として、別途データ制御ラインを介して、ホスト２０から表示装置１０に送信される。従って、モニタ制御部１７がコンテンツ保護情報を検知すれば、表示装置１０は、ホストがＨＤＣＰを使用するＣＥ機器２０であることを検知できる。
なお、ＣＥ機器２０であることを検知するための信号は、ＨＤＣＰで使用されるコンテンツ保護情報に限定されず、ＣＥ機器２０が使用する信号と、ＰＣ３０が使用する信号の異なる部分であればよい。
【００３１】
ＣＥ機器２０は、グラフィックコントローラ部２１、コンテンツ保護システム対応トランスミッタ制御部２２、データ制御コントローラ部２３を具備する。
グラフィックコントローラ部２１は、表示装置１０から受信した表示仕様情報（ＥＤＩＤ）を使用して、表示仕様に適した映像データ信号を生成し、コンテンツ保護システム対応トランスミッタ制御部２２へ出力する。
コンテンツ保護システム対応トランスミッタ制御部２２は、当該ホストがコンテンツ保護機能を使用していることを表示装置１０に通知するため、コンテンツ保護情報を、データ制御ラインを介して表示装置１０に出力する。さらに、コンテンツ保護システム対応トランスミッタ制御部２２は、映像データ信号を、コンテンツ保護機能により暗号化して、表示装置１０のコンテンツ保護システム対応レシーバ制御部１１に出力する。
データ制御コントローラ部２３は、表示装置１０から、当該表示装置１０がコンテンツ保護に対応していることを示す情報を含むコンテンツ保護確認情報を受信する。さらに、データ制御コントローラ部２３は、表示装置１０に表示仕様情報（ＥＤＩＤ）を読み出すための読出し信号を送信する。
【００３２】
コンテンツ保護システム対応レシーバ制御部１１、デジタル伝送レシーバ制御部１２、ＣＥ機器対応ＥＤＩＤメモリ部１３、ＰＣ対応ＥＤＩＤメモリ部１４、モニタ制御部１７、グラフィックコントローラ部２１、コンテンツ保護システム対応トランスミッタ制御部２２、データ制御コントローラ部２３は、データ制御ラインに接続されている。表示装置１０とホストを所定のコードで接続することで、表示装置１０のデータ制御ラインとホストのデータ制御ラインが接続される。
スイッチ１５、１６は、データ制御ラインに介設され、ＣＥ機器対応ＥＤＩＤメモリ部１３とＰＣ対応ＥＤＩＤメモリ部１４を切替えて接続する。
【００３３】
次に、図２を参照して、表示装置１０に、ホストとしてＰＣ３０が接続されている場合が説明される。
表示装置１０は、図１で説明されたものと同じであるので、説明は省略される。
ＰＣ３０は、グラフィックコントローラ部３１、デジタル伝送トランスミッタ制御部３２、データ制御コントローラ部３３を具備する。
グラフィックコントローラ部３１は、表示装置１０から受信した表示仕様情報（ＥＤＩＤ）を使用して、表示仕様に適した映像データ信号を生成し、デジタル伝送トランスミッタ制御部３２へ出力する。
デジタル伝送トランスミッタ制御部３２は、映像データ信号を、表示装置１０のデジタル伝送レシーバ制御部１２へ出力する。
データ制御コントローラ部３３は、は、表示装置１０に表示仕様情報（ＥＤＩＤ）を読み出すための読出し信号を送信する。
【００３４】
ホストとしてＰＣ３０が接続される場合、ＰＣ３０はコンテンツ保護情報を出力しない。このため、モニタ制御部１７はコンテンツ保護情報を検出しないので、スイッチ１５、１６をＰＣ対応ＥＤＩＤメモリ部１４に接続するように切替える。モニタ制御部１７は、通常、ＰＣ対応ＥＤＩＤメモリ部１４に接続するようにスイッチ１５、１６を制御し、コンテンツ保護情報を検知した時にＣＥ機器対応ＥＤＩＤメモリ部１３に切替えるように設定する場合がある。
【００３５】
次に、図３を参照して、ＣＥ機器２０と表示装置１０の信号の送受信が説明される。
表示装置１０の電源が入れられる。さらに、ＣＥ機器２０の電源が入れられる。
ＣＥ機器２０のコンテンツ保護システム対応トランスミッタ制御部２２は、当該ＣＥ機器２０がコンテンツ保護機能を使用する機器である情報を含むコンテンツ保護情報ａ１を、コンテンツ保護システム対応レシーバ制御部１１に送信する。コンテンツ保護システム対応レシーバ制御部１１は、コンテンツ保護情報ａ１を受信し、当該表示装置１０がコンテンツ保護機能に対応している情報を含むコンテンツ保護確認情報ａ３をコンテンツ保護システム対応トランスミッタ制御部２２に送信する。
【００３６】
モニタ制御部１７は、コンテンツ保護システム対応レシーバ制御部１１が受信するコンテンツ保護情報ａ２を検知する。
モニタ制御部１７は、検知した信号がコンテンツ保護情報であることを認識し、スイッチ１５、１６を、ＣＥ機器対応ＥＤＩＤメモリ部１３が、データ制御ラインに接続される様に切替える。
【００３７】
コンテンツ保護システム対応トランスミッタ制御部２２はコンテンツ保護確認情報ａ３を受信する。さらに、コンテンツ保護システム対応トランスミッタ制御部２２は、データ制御コントローラ部２３に、表示装置１０がコンテンツ保護に対応している情報を含むコンテンツ保護対応認識信号ａ４を送信する。データ制御コントローラ部２３がコンテンツ保護確認情報ａ３を直接受信する場合もある。
【００３８】
データ制御コントローラ部２３は、表示装置１０のＣＥ機器対応ＥＤＩＤメモリ部１３にＥＤＩＤ読出信号ａ５を送信する。ＣＥ機器対応ＥＤＩＤメモリ部１３は、ＥＤＩＤ情報信号ａ６をグラフィックコントローラ部２１に送信する。
グラフィックコントローラ部２１は、ＥＤＩＤに含まれる表示装置１０の仕様および表示方法の情報に基づいて、映像データ信号を作成する。グラフィックコントローラ部２１は、映像データ信号ａ７を、コンテンツ保護システム対応トランスミッタ制御部２２に送信する。コンテンツ保護システム対応トランスミッタ制御部２２は、映像データ信号ａ７を暗号化する。コンテンツ保護システム対応トランスミッタ制御部２２は、暗号化したエンコード映像データ信号ａ８を、コンテンツ保護システム対応レシーバ制御部１１に送信する。コンテンツ保護システム対応レシーバ制御部１１は、エンコード映像データ信号ａ８を復号化して、デコード映像データａ９を作成し、信号処理回路に送信する。信号処理回路は、デコード映像データａ９に必要な処理をし、表示部（図示なし）に送信する。表示部で映像が表示される。
【００３９】
次に図４を参照して、表示装置１０の動作が説明される。
表示装置１０の電源が入れられる（Ｓａ１）。
モニタ制御部１７が、コンテンツ保護システム対応レシーバ制御部１１に、データ制御ラインを介して、信号が送信されているか検知する（Ｓａ２）。信号が検知されない場合、ステップＳａ４に進む。信号が検知された場合、その信号がコンテンツ保護情報であるか検知する（Ｓａ３）。コンテンツ保護信号でない場合、ステップＳａ４に進む。
【００４０】
信号が検知されない場合、および、コンテンツ保護信号でない場合、モニタ制御部１７は、スイッチ１５、１６を、ＰＣ対応ＥＤＩＤメモリ部１４がホストと接続する様に切替える（Ｓａ４）。
ＰＣ対応ＥＤＩＤメモリ部１４は、ＥＤＩＤ読出信号を受信する（Ｓａ５）。ＰＣ対応ＥＤＩＤメモリ部１４は、ＥＤＩＤ読出信号に応答して、ＰＣ対応ＥＤＩＤをホストに送信する（Ｓａ６）。デジタル伝送レシーバ制御部１２は、ホストから、ＥＤＩＤで設定された映像データを受信する（Ｓａ７）。表示装置１０は、映像データを表示する（Ｓａ１３）。
【００４１】
ステップＳａ３で、受信した信号がコンテンツ保護情報と判断された場合、モニタ制御部１７は、スイッチ１５、１６を、ＣＥ機器対応ＥＤＩＤメモリ部１３がホストと接続する様に切替える（Ｓａ８）。
ＣＥ対応ＥＤＩＤメモリ部１３は、ＥＤＩＤ読出信号を受信する（Ｓａ９）。ＣＥ対応ＥＤＩＤメモリ部１３は、ＥＤＩＤ読出信号に応答して、ＣＥ機器対応ＥＤＩＤをホストに送信する（Ｓａ１０）。コンテンツ保護システム対応レシーバ制御部１１は、ホストから、ＥＤＩＤで設定された映像データを受信する（Ｓａ１１）。この場合、ホストはＣＥ機器２０であるので、映像データは暗号化されている。コンテンツ保護システム対応レシーバ制御部１１は、受信した映像データの復号化を行う（Ｓａ１２）。表示装置１０は、映像データを表示する（Ｓａ１３）。
【００４２】
上記のように、表示装置１０が、ホスト側から送信され、ホストの種類を特定できる信号を検知することで、自動的にＣＥ機器対応ＥＤＩＤメモリ部１３とＰＣ対応ＥＤＩＤメモリ部１４の切替えを行うことができる。
この切替えにより、好適なＥＤＩＤを送信することができる。このため、使用者はホストを変更した場合、手動でＣＥ機器対応ＥＤＩＤメモリ部１３とＰＣ対応ＥＤＩＤメモリ部１４の切替えを行う必要がない。
【００４３】
（実施の形態２）
次に図５〜７を参照して、実施の形態２の表示装置５０が説明される。
表示装置５０は、デジタル信号を出力するホストと接続される。表示装置５０は、ホストとしてのＣＥ機器（Ｃｏｎｓｕｍｅｒ  Ｅｌｅｃｔｒｏｎｉｃｓ＝民生機器）とＰＣ（パーソナル  コンピュータ）に対応するデジタル・インターフェイスを具備する。
図５は、表示装置５０に、ホストとしてＣＥ機器６０が接続されている例、図６は、表示装置５０に、ホストとしてＰＣ８０が接続されている例、を示す。
【００４４】
図５を参照して、表示装置５０と、ホストとしてＣＥ機器６０が接続されている例が説明される。
表示装置５０は、コンテンツ保護システム対応レシーバ制御部５１、デジタル伝送レシーバ制御部５２、ＣＥ機器対応ＥＤＩＤメモリ部５３、ＰＣ対応ＥＤＩＤメモリ部５４、スイッチ５５、５６、モニタ制御部５７、映像信号処理回路（図示なし）、表示部（図示なし）を具備する。
コンテンツ保護システム対応レシーバ制御部５１は、ＣＥ機器６０から、コンテンツ保護システムに基づいて暗号化（エンコード）されたデジタル映像情報を受信し、復号化（デコード）して、映像信号処理回路（図示なし）へ出力する。
デジタル伝送レシーバ制御部５２は、ＰＣ８０と接続された場合、表示情報を含むデジタル信号を受信し、映像信号処理回路（図示なし）へ出力する。
映像信号処理回路（図示なし）は、コンテンツ保護システム対応レシーバ制御部５１、デジタル伝送レシーバ制御部５２から入力される表示情報信号を処理して表示部（図示なし）へ出力する。
表示部（図示なし）は、ディスプレイ部で、映像信号処理回路（図示なし）から表示情報信号を受信して、表示する。
【００４５】
ＣＥ機器対応ＥＤＩＤメモリ部５３は、ＣＥ機器６０に対応したＥＤＩＤを記憶する。
ＰＣ対応ＥＤＩＤメモリ部５４は、ＰＣ８０に対応したＥＤＩＤを記憶する。ＥＤＩＤ（Ｅｘｔｅｎｄｅｄ  Ｄｉｓｐｌａｙ  Ｉｄｅｎｔｉｆｉｃａｔｉｏｎ  Ｄａｔａ）は表示仕様情報である。ＥＤＩＤは、表示装置５０の解像度、走査信号の情報、フレームレート、メーカー識別子、表示装置５０の識別子の少なくともいずれかを含む情報である。ＥＤＩＤは、ホスト機器（図５ではＣＥ機器６０）に出力される。ホスト機器（図５ではＣＥ機器６０）は、ＥＤＩＤに基づいて、デジタル信号の表示情報を、表示装置５０の仕様に合う形式で出力する。ＣＥ機器６０とＰＣ８０は、ＥＤＩＤの処理仕様が異なるので、表示装置５０が、ＣＥ機器６０とＰＣ８０に対応するために、ＣＥ機器６０に対応したＥＤＩＤとＰＣ８０に対応したＥＤＩＤを具備する。
【００４６】
スイッチ５５、５６は、ホスト（図５ではＣＥ機器６０）と、ＣＥ機器対応ＥＤＩＤメモリ部５３、ＰＣ対応ＥＤＩＤメモリ部５４を接続するデータ制御ラインに介設される。スイッチ５５、５６は、ＣＥ機器対応ＥＤＩＤメモリ部５３とＰＣ対応ＥＤＩＤメモリ部５４を切替えて接続する。
モニタ制御部５７は、スイッチ５５、５６の切替えを制御する制御部である。モニタ制御部５７は、ホスト（図５ではＣＥ機器６０）の識別信号発生機６４もしくは識別信号発生機８４からホストの種類の情報を含む識別信号を受信して、スイッチ５５、５６を切替える。
本例では、ホストであるＣＥ機器２０が識別信号発生機６４を具備する。識別信号発生機６４からモニタ制御部５７へ、直接、識別信号が送信される。モニタ制御部５７は、識別信号を受信してスイッチ５５、５６の切替えを自動的に行うことができる。
【００４７】
ＣＥ機器６０は、グラフィックコントローラ部６１、コンテンツ保護システム対応トランスミッタ制御部６２、データ制御コントローラ部６３、識別信号発生機６４を具備する。
グラフィックコントローラ部６１は、表示装置５０から受信した表示仕様情報（ＥＤＩＤ）を使用して、表示仕様に適した映像データ信号を生成し、コンテンツ保護システム対応トランスミッタ制御部６２へ出力する。
コンテンツ保護システム対応トランスミッタ制御部６２は、映像データ信号を、コンテンツ保護機能により暗号化して、表示装置５０のコンテンツ保護システム対応レシーバ制御部５１に出力する。
データ制御コントローラ部６３は、表示装置５０に表示仕様情報（ＥＤＩＤ）を読み出すための読出し信号を送信する。
識別信号発生機６４は、表示装置５０のモニタ制御部５７と接続される。識別信号発生機６４はモニタ制御部５７にホストの種類を含む、もしくは、使用するＥＤＩＤを指定する識別信号を送信する。
【００４８】
次に、図６を参照して、表示装置５０に、ホストとしてＰＣ８０が接続されている場合が説明される。
表示装置５０は、図５における表示装置５０で説明されたものと同じであるので、同じ番号が付され、説明は省略される。
ＰＣ８０は、グラフィックコントローラ部８１、デジタル伝送トランスミッタ制御部８２、データ制御コントローラ部８３、識別信号発生機８４を具備する。
グラフィックコントローラ部８１は、表示装置５０から受信した表示仕様情報（ＥＤＩＤ）を使用して、表示仕様に適した映像データ信号を生成し、デジタル伝送トランスミッタ制御部８２へ出力する。
デジタル伝送トランスミッタ制御部８２は、映像データ信号を、表示装置５０のデジタル伝送レシーバ制御部５２へ出力する。
データ制御コントローラ部８３は、表示装置５０に表示仕様情報（ＥＤＩＤ）を読み出すための読出し信号を送信する。
識別信号発生機８４は、表示装置５０のモニタ制御部５７と接続される。識別信号発生機８４はモニタ制御部５７にホストの種類を含む、もしくは、使用するＥＤＩＤを指定する識別信号を送信する。もしくは、識別信号発生機８４は設置されず、識別信号がない場合、モニタ制御部５７は、ホストがＰＣであると判断するように設定することができる。
【００４９】
次に図７を参照して、表示装置５０の動作が説明される。
表示装置５０の電源が入れられる（Ｓｂ１）。
モニタ制御部５７が、識別信号を受信し、識別信号に含まれるホストの情報を検出する（Ｓｂ２）。識別信号に、ホストがＰＣ８０である情報、もしくはＰＣ対応ＥＤＩＤを使用する情報が含まれる場合、ステップＳｂ３に進む。もしくは、識別信号を受信しない場合、ステップＳｂ３に進むようにモニタ制御部５７が設定される場合がある。
識別信号に、ホストがＣＥ機器６０である情報、もしくはＣＥ機器対応ＥＤＩＤを使用する情報が含まれる場合、ステップＳｂ７に進む。
【００５０】
識別信号に、ホストがＰＣ８０である情報、もしくはＰＣ対応ＥＤＩＤを使用する情報が含まれる場合、モニタ制御部５７は、スイッチ５５、５６を、ＰＣ対応ＥＤＩＤメモリ部５４がホストと接続する様に切替える（Ｓｂ３）。
ＰＣ対応ＥＤＩＤメモリ部５４は、ＥＤＩＤ読出信号を受信する（Ｓｂ４）。ＰＣ対応ＥＤＩＤメモリ部５４は、ＥＤＩＤ読出信号に応答して、ＰＣ対応ＥＤＩＤをホストに送信する（Ｓｂ５）。デジタル伝送レシーバ制御部５２は、ホストから、ＥＤＩＤで設定された映像データを受信する（Ｓｂ６）。表示装置５０は、映像データを表示する（Ｓｂ１２）。
【００５１】
ステップＳｂ２で、識別信号からホストがＣＥ機器６０である情報、もしくはＣＥ対応ＥＤＩＤを使用する情報が検知された場合、モニタ制御部５７は、スイッチ５５、５６を、ＣＥ機器対応ＥＤＩＤメモリ部５３がホストと接続する様に切替える（Ｓｂ７）。
ＣＥ対応ＥＤＩＤメモリ部５３は、ＥＤＩＤ読出信号を受信する（Ｓｂ８）。ＣＥ対応ＥＤＩＤメモリ部５３は、ＥＤＩＤ読出信号に応答して、ＣＥ機器対応ＥＤＩＤをホストに送信する（Ｓｂ９）。コンテンツ保護システム対応レシーバ制御部５１は、ホストから、ＥＤＩＤで設定された映像データを受信する（Ｓｂ１０）。この場合、ホストはＣＥ機器６０であるので、映像データは暗号化されている。コンテンツ保護システム対応レシーバ制御部５１は、受信した映像データの復号化を行う（Ｓｂ１１）。表示装置５０は、映像データを表示する（Ｓｂ１２）。
【００５２】
上記のように、表示装置５０が、ホスト側から送信され、ホストの種類を特定できる識別信号を検知することで、自動的にＣＥ機器対応ＥＤＩＤメモリ部５３とＰＣ対応ＥＤＩＤメモリ部５４の切替えを行うことができる。
この切替えにより、表示装置５０は、好適なＥＤＩＤを送信することができる。このため、使用者はホストを変更した場合、手動でＣＥ機器対応ＥＤＩＤメモリ部５３とＰＣ対応ＥＤＩＤメモリ部５４の切替えを行う必要がない。
識別信号発生機６４、８４を設けることにより、コンテンツ保護に対応していないホストでも識別することができる。さらに、コンテンツ保護情報などの特定の信号を検知するより、確実にホストの種類を特定することができる場合がある。
【００５３】
なお、本発明の表示装置のデジタルインターフェイスは、ＰＣ用およびＣＥ用として、同一のコネクタでも、個別のコネクタでもよい。
【００５４】
【発明の効果】
本発明の表示装置は、ホストからの信号を検出して、デジタル入力に対応した複数のＥＤＩＤを自動的に切替えることができる。
本発明の表示装置は、ＰＣとＣＥ機器の両方の入力に対応したデジタル・インターフェイスを搭載する表示装置において、ホスト側の仕様に対応した表示仕様情報を、自動的に出力することができる。
【図面の簡単な説明】
【図１】図１は、表示装置に、ホストとしてＣＥ機器が接続されている場合の構成を示す。
【図２】図２は、表示装置に、ホストとしてＰＣが接続されている場合の構成を示す。
【図３】図３は、ＣＥ機器と表示装置の信号の送受信を示す図である。
【図４】図４は、表示装置の動作のフローを示す図である。
【図５】図５は、表示装置に、ホストとしてＣＥ機器が接続されている場合の構成を示す。
【図６】図６は、表示装置に、ホストとしてＰＣが接続されている場合の構成を示す。
【図７】図７は、表示装置の動作のフローを示す図である。
【図８】図８は、従来の表示装置に、ホストとしてＣＥ機器が接続されている場合の構成を示す。
【符号の説明】
１０  表示装置
１１  コンテンツ保護システム対応レシーバ制御部
１２  デジタル伝送レシーバ制御部
１３  ＣＥ機器対応ＥＤＩＤメモリ部
１４  ＰＣ対応ＥＤＩＤメモリ部
１５  スイッチ
１６  スイッチ
１７  モニタ制御部
２０  ＣＥ機器
２１  グラフィックコントローラ部
２２  コンテンツ保護システム対応トランスミッタ制御部
２３  データ制御コントローラ部
３０  ＰＣ
３１  グラフィックコントローラ部
３２  デジタル伝送トランスミッタ制御部
３３  データ制御コントローラ部
５０  表示装置
５１  コンテンツ保護システム対応レシーバ制御部
５２  デジタル伝送レシーバ制御部
５３  ＣＥ機器対応ＥＤＩＤメモリ部
５４  ＰＣ対応ＥＤＩＤメモリ部
５５  スイッチ
５６  スイッチ
５７  モニタ制御部
６０  ＣＥ機器
６１  グラフィックコントローラ部
６２  コンテンツ保護システム対応トランスミッタ制御部
６３  データ制御コントローラ部
６４  識別信号発生機
８０  ＰＣ
８１  グラフィックコントローラ部
８２  デジタル伝送トランスミッタ制御部
８３  データ制御コントローラ部
８４  識別信号発生機
【図１】
2004333932.tif 000003
【図２】
2004333932.tif 000004
【図３】
2004333932.tif 000005
【図４】
2004333932.tif 000006
【図５】
2004333932.tif 000007
【図６】
2004333932.tif 000008
【図７】
2004333932.tif 000009
【図８】
2004333932.tif 000010